(57)【要約】【課題】着信履歴を悪用した有料ダイヤルへの接続を解消し、有効な着信履歴をユーザに知らせることのできる通信端末装置を提供する。【解決手段】着信日時、発呼者の電話番号、発呼者の名前等の着信情報を着信履歴として記憶する通信端末装置において、通信端末装置の着信時間が予め定められた設定時間を越えた場合に発呼者の着信情報を通信端末装置に着信履歴として記憶し、通信端末装置の着信時間が予め定められた設定時間以下の場合に発呼者の着信情報を通信端末装置に着信履歴として記憶しないことで、着信履歴を悪用した有料ダイヤルへの接続を解消する。【選択図】　図１
2004120559.tif 000002
【特許請求の範囲】
【請求項１】
着信日時、発呼者の電話番号、発呼者の名前等の着信情報を着信履歴として記憶する通信端末装置であって、
前記通信端末装置の着信時間に応じて発呼者の着信情報を前記通信端末装置に着信履歴として記憶することを特徴とする通信端末装置。
【請求項２】
着信日時、発呼者の電話番号、発呼者の名前等の着信情報を着信履歴として記憶する通信端末装置の着信履歴記憶方法であって、
前記通信端末装置の着信時間が予め定められた設定時間を越えた場合に発呼者の着信情報を前記通信端末装置に着信履歴として記憶し、
前記通信端末装置の着信時間が予め定められた設定時間以下の場合に発呼者の着信情報を前記通信端末装置に着信履歴として記憶しない
ことを特徴とする着信履歴記憶方法。
【請求項３】
着信日時、発呼者の電話番号、発呼者の名前等の着信情報を着信履歴として記憶する通信端末装置の着信履歴記憶方法であって、
前記通信端末装置は通信相手の電話番号等からなる電話帳データを登録する電話帳データ登録機能を備え、
前記通信端末装置に着信があった場合に、電話帳データに発呼者の電話番号等が登録されているかを判断し、
当該発呼者が登録されていない場合に、前記通信端末装置の着信時間が予め定められた設定時間以下かを判断し、
当該予め定められた時間以下の場合に発呼者の着信情報を前記通信端末装置に着信履歴として記憶しない
ことを特徴とする着信履歴記憶方法。
【発明の詳細な説明】
【０００１】
【発明の属する技術分野】
本発明は、通信端末装置の着信時の呼出回数又は着信時間をカウントし、カウントした呼出回数又は着信時間に応じて着信履歴として記憶する通信端末装置に関するものである。
【０００２】
【従来の技術】
通信端末装置、例えば携帯端末装置においては、一般に、着信があった場合は、「着信日時」「発呼者の電話番号」「発呼者の名前」等の着信情報を着信履歴として通信端末装置に記憶され、ユーザが着信履歴を見たいときに通信端末装置の操作部を操作することで、通信端末装置の表示部に着信履歴を表示することができる。ここで、「発呼者の電話番号」は、発呼者側が着呼者側に通知許可を行った場合に着呼者側に表示される電話番号のことをいう。
【０００３】
発呼者側から着信情報を着呼者側の通信端末装置に着信履歴として記憶することで、ユーザが何らかの理由で回線接続できない又は電話に出られない状況にいた場合に、その着信履歴を見て、発呼者側に連絡をとることができる。
【０００４】
【発明が解決しようとする課題】
しかし、この通信端末装置に着信履歴として記憶されることを利用して、故意に着信履歴に登録されるような発呼をし、その発呼者の電話番号に電話をかけると通話料が高額な通信案内等に接続される等の問題が発生している。これらの悪徳発呼者（以下悪徳発呼者と呼ぶ）は１コールで電話をきる、つまり、着信時間が非常に短いという特徴がある。ここで、１コールとは通信端末装置に予め定められた着信時間を１周期とする期間を表す単位とする。
【０００５】
したがって、本発明の目的は、着信履歴を悪用した有料ダイヤルへの接続を解消し、有効な着信履歴をユーザに知らせることのできる通信端末装置を提供することである。
【０００６】
【課題を解決するための手段】
本発明の請求項１記載の通信端末装置は、着信日時、発呼者の電話番号、発呼者の名前等の着信情報を着信履歴として記憶する通信端末装置であって、前記通信端末装置の着信時間に応じて発呼者の着信情報を前記通信端末装置に着信履歴として記憶することを特徴とする。
【０００７】
次に、請求項２記載の着信履歴記憶方法は、着信日時、発呼者の電話番号、発呼者の名前等の着信情報を着信履歴として記憶する通信端末装置の着信履歴記憶方法であって、前記通信端末装置の着信時間が予め定められた設定時間を越えた場合に発呼者の着信情報を前記通信端末装置に着信履歴として記憶し、前記通信端末装置の着信時間が予め定められた設定時間以下の場合に発呼者の着信情報を前記通信端末装置に着信履歴として記憶しないことを特徴とする。
【０００８】
更に、請求項３記載の着信履歴記憶方法は、着信日時、発呼者の電話番号、発呼者の名前等の着信情報を着信履歴として記憶する通信端末装置の着信履歴記憶方法であって、前記通信端末装置は通信相手の電話番号等からなる電話帳データを登録する電話帳データ登録機能を備え、前記通信端末装置に着信があった場合に、電話帳データに発呼者の電話番号等が登録されているかを判断し、当該発呼者が登録されていない場合に、前記通信端末装置の着信時間が予め定められた設定時間以下かを判断し、当該予め定められた時間以下の場合に発呼者の着信情報を前記通信端末装置に着信履歴として記憶しないことを特徴とする。
【０００９】
【発明の実施の形態】
以下、発明の実施の形態を通じて本発明を説明するが、以下の実施の形態はクレームにかかる発明を限定するものではなく、又実施形態の中で説明されている特徴の組合せの全てが発明の解決手段に必須であるとは限らない。
【００１０】
図１は、本発明に関わる第１の実施形態の通信端末装置の構成を示す図である。図１の通信端末装置は、基地局から電波を受けるアンテナ１と、前記アンテナ１で受けた電波の受信及び送信を行う無線回路部２と、音声を出力するスピーカー３と、電話番号や本体のソフトウェアを記憶するメモリ４と、信号処理など制御を行う制御部５と、現在の日付及び時刻並びに曜日を管理するタイマ部６と、画像情報の表示を行う表示部７と、押下された操作キー入力を行う入力部８と、音声を入力するマイク９から構成されている。
【００１１】
メモリ４は、例えば不揮発性メモリ（ＥＥＰＲＯＭ）等からなり、通信（通話やメールの送受信）等に係る制御プログラムや各種機能を実行するプログラムが記憶されると共に、着信履歴、電話帳データ（メモリダイヤル）を含む各種データが記憶されるようになっている。
【００１２】
そして、この通信端末装置は、着信履歴の登録機能は、制御部５の処理動作を中心としたソフトウエア的構成により実現され、ユーザが入力部８を操作することにより、過去着信のあった「着信日時」「発呼者の電話番号」「発呼者の名前」等の着信情報を着信履歴として、メモリ４の着信履歴登録領域に登録（記憶）させておくものである。
【００１３】
また、この携帯端末装置は、メモリダイヤルと称される電話帳データの登録の機能を備えている。この電話帳データ登録機能は、制御部５の処理動作を中心としたソフトウエア的構成により実現され、ユーザが入力部８を操作することにより、良く電話をかけるような通信相手の、相手先名、振り仮名、電話番号、グループ番号等からなる電話帳データを、メモリ４の電話帳データ登録領域に例えば最大５００件まで登録（記憶）させておくものである。
【００１４】
制御部５は、コール数カウント部５１、コール数比較制御部５２が備えられている。コール数カウント部５１は、発呼者側からの着信コール数をカウントする制御部で、発呼者側からの着信コール数をメモリ４に通知することで着信履歴として着信コールも記憶することができる。コール数比較制御部５２は、コール数カウント部５１でカウントされた着信コール数が予め定められた又はユーザが設定した着信コール数より多い場合に、その発呼者の着信情報を着信履歴としてメモリ４に記憶する制御を行う制御部である。また、コール数カウント部５１でカウントされた着信コール数が予め定められた又はユーザが設定した着信コール数以下の場合に、その発呼者の着信情報を着信履歴としてメモリ４に記憶しない制御を行なってもよい。
【００１５】
図２は、本発明に関わる第１の実施形態の通信端末装置の着信履歴画面表示の一例を示す図である。着信履歴画面表示２０１において、最新の着信情報である▲１▼は、「着信日時」が「３月２５日１６時７分」で、「発呼者の電話番号」が「０２２−ＸＸＸ−ＸＸＸＸ」で、「着信コール数」が「１回」であることを示している。ここで、通常の着信履歴表示と異なるところは着信コール数が表示されているところである。この着信コール数を表示することで、少ない着信コール数（通常は１コール）とメモリダイヤルに登録されていない「発呼者の電話番号」がある場合、悪徳発呼者であることが視認的に確認することもできる。更に、上記悪徳発呼者であるという予想がたてられた場合に、その悪徳発呼者であると予想された着信情報を着信履歴として記憶しなくてもよい。
【００１６】
図３は、本発明に関わる第１の実施形態の通信端末装置の着信履歴の記憶処理手順を示すフローチャートである。まず、ユーザ所有の通信端末装置へ着信があった場合は（ステップＳ１１）、ユーザが通信可能な状態にあるか否かの判断を行う（ステップＳ１２）。ユーザが通信可能な場合は発呼者と通話が可能となり（ステップＳ１３）、通話不可能な場合はコール数カウント部５１で着信コール数をカウントする（ステップＳ１４）。着信コール数カウント後は、コール数比較制御部５２で、メモリダイヤルに登録されている発呼者かどうか確認し（ステップＳ１５）、登録されている場合は発呼者からの着信情報を着信履歴として記憶し（ステップＳ１６）、登録されていない場合は予め設定された着信コール数より多いか否かを確認する（ステップＳ１７）。予め設定された着信コール数より多い場合は発呼者からの着信情報を着信履歴として記憶し（ステップＳ１８）、予め設定された着信コール数以下の場合は発呼者からの着信情報を着信履歴として記憶しない処理を行う（ステップＳ１９）。
【００１７】
次に、本発明の第２の実施形態について説明する。図４は、本発明に関わる第２の実施形態の通信端末装置の構成を示す図である。尚、図１と同様の構成をとり、同様の処理を行う部分については同一の符号を付して、説明を省略することにする。ここで、異なる構成は、制御部５に着信時間カウント部５３と着信時間比較制御部５４が備えられている点である。着信時間カウント部５３は、発呼者側からの着信時間をカウントする制御部で、発呼者側からの着信時間をメモリ４に通知することで着信履歴として着信時間も記憶することができる。着信時間比較制御部５４は、着信時間カウント部５３でカウントされた着信時間が予め定められた又はユーザが設定した着信時間より長い場合に、その発呼者の着信情報を着信履歴としてメモリ４に記憶する制御を行う制御部である。また、着信時間カウント部５３でカウントされた着信時間が予め定められた又はユーザが設定した着信時間以下の場合に、その発呼者の着信情報を着信履歴としてメモリ４に記憶しない制御を行なってもよい。
【００１８】
図５は、本発明に関わる第２の実施形態の通信端末装置の着信履歴画面表示の一例を示す図である。着信履歴画面表示５０１において、最新の着信情報である▲１▼は、「着信日時」が「３月２５日１６時７分」で、「発呼者の電話番号」が「０２２−ＸＸＸ−ＸＸＸＸ」で、「着信時間」が「１秒」であることを示している。ここで、通常の着信履歴表示と異なるところは着信時間が表示されているところである。この着信時間を表示することで、短い着信時間（１秒前後）とメモリダイヤルに登録されていない「発呼者の電話番号」がある場合、悪徳発呼者であることが視認的に確認することもできる。更に、上記悪徳発呼者であるという予想がたてられた場合に、その悪徳発呼者であると予想された着信情報を着信履歴として記憶しなくてもよい。
【００１９】
図６は、本発明に関わる第２の実施形態の通信端末装置の着信履歴の記憶処理手順を示すフローチャートである。まず、ユーザ所有の通信端末装置へ着信があった場合は（ステップＳ２１）、ユーザが通信可能な状態にあるか否かの判断を行う（ステップＳ２２）。ユーザが通信可能な場合は発呼者と通話が可能となり（ステップＳ２３）、通話不可能な場合は着信時間カウント部５３で着信時間をカウントする（ステップＳ２４）。着信時間カウント後は、着信時間比較制御部５４で、メモリダイヤルに登録されている発呼者かどうか確認し（ステップＳ２５）、登録されている場合は発呼者からの着信情報を着信履歴として記憶し（ステップＳ２６）、登録されていない場合は予め設定された着信時間より長いか否かを確認する（ステップＳ２７）。予め設定された着信時間より長い場合は発呼者からの着信情報を着信履歴として記憶し（ステップＳ２８）、予め設定された着信時間以下の場合は発呼者からの着信情報を着信履歴として記憶しない処理を行う（ステップＳ２９）。
【００２０】
【発明の効果】
このように本発明によれば、着信履歴を悪用した有料ダイヤルへの接続を解消し、有効な着信履歴をユーザに知らせることのできる通信端末装置を提供することができる。
【図面の簡単な説明】
【図１】本発明に関わる第１の実施形態の通信端末装置の構成を示す図である。
【図２】本発明に関わる第１の実施形態の通信端末装置の着信履歴画面表示の一例を示す図である。
【図３】本発明に関わる第１の実施形態の通信端末装置の着信履歴の記憶処理手順を示すフローチャートである。
【図４】本発明に関わる第２の実施形態の通信端末装置の構成を示す図である。
【図５】本発明に関わる第２の実施形態の通信端末装置の着信履歴画面表示の一例を示す図である。
【図６】本発明に関わる第２の実施形態の通信端末装置の着信履歴の記憶処理手順を示すフローチャートである。
【符号の説明】
１　　　アンテナ
２　　　無線回路部
３　　　スピーカー
４　　　メモリ
５　　　制御部
５１　　コール数カウント部
５２　　コール数比較制御部
５３　　着信時間カウント部
５４　　着信時間比較制御部
６　　　タイマ部
７　　　表示部
８　　　入力部
９　　　マイク
【図１】
2004120559.tif 000003
【図２】
2004120559.tif 000004
【図３】
2004120559.tif 000005
【図４】
2004120559.tif 000006
【図５】
2004120559.tif 000007
【図６】
2004120559.tif 000008